(57)【要約】  【課題】  ネットの滑り防止や植生基材、法面表土の流れ防止の機能を有する植生ネットを提供する。  【解決手段】  二重ネットを構成するフロントネット２とバックネット３の何れか一方または両方のネットに目合い４，５の粗密を設け、フロントネット２とバックネット３とで目合い４，５を交互にずらして構成した。ネット質量の軽減化を図りながらも裸地面の被覆面積は従来の二重ネットと同等或いはそれ以上に増大でき、表層浸食効果を改善する。しかもネット強度を低下させることも無く、また、廉価で提供できる。併せて木本類の生長を阻害するおそれが少なくなる。【選択図】      図１
2007303120.tif 000002
【特許請求の範囲】
【請求項１】
二重ネットを構成するフロントネットとバックネットの何れか一方または両方のネットに目合いの粗密を設け、フロントネットとバックネットとで目合いを交互にずらして構成したことを特徴とする植生ネット。
【請求項２】
二重ネットを構成するフロントネットとバックネットとで目合いを交互にすることで、二重に合わせた際は通常目合いになるように構成したことを特徴とする植生ネット。
【請求項３】
二重ネットを構成するフロントネットとバックネットの縦糸若しくは横糸のどちらか、または縦横両方の糸を、フロントネットとバックネットとで交互にずらし、裸地面の被覆面積を従来の二重編み植生ネットと同等に保ちながら、ネット質量の軽減化を図ったことを特徴とする植生ネット。
【請求項４】
縦糸に高強度の糸を一本置き若しくは数本置きに配置した請求項１〜３の何れかに記載の植生ネット。
【請求項５】
請求項１〜４のいずれかに記載の植生ネットにシート状体、種子、肥料または肥料袋のうち、少なくとも一つを付着させた植生マット。
【請求項６】
請求項１〜４のいずれかに記載のネットを法面に張設した後に植生基材を吹き付ける緑化工法。
【請求項７】
請求項５に記載の植生マットを法面に張設する緑化工法。
【発明の詳細な説明】
【技術分野】
【０００１】
この発明は、例えば法面の緑化工法に用いられる緑化用の植生ネット及びこれを用いた植生マット並びにこの植生ネットまたは植生マットを用いた緑化工法に関する。
【背景技術】
【０００２】
この種の植生ネットが、最低限具備させねばならない機能は、網体で裸地面を覆うことによって表層侵食の防止を図ることである。
【０００３】
ところで、従来の二重編み植生ネットでは、縦糸、横糸が、表裏とも同じ位置に配置され、つまりは表側のネットの縦糸と裏側のネットの縦糸、また、表側の横糸と裏側のネットの横糸とが上下に重合されて編まれていた。
【０００４】
【特許文献１】特許公開２００５−９２０２号公報
【特許文献２】特開平０６−１８５０６０号公報
【特許文献３】特開平０６−０２６０５５号公報
【特許文献４】特開平０５−１４８８４１号公報
【特許文献５】特開平０６−２５７１５８号公報
【発明の開示】
【発明が解決しようとする課題】
【０００５】
ところが、このような構造では、例えばネットによる法面の被覆面積（率）を増加させるには、繊維量を増やす、つまりは質量を増やすことが必要となり、コストアップにつながる。
【０００６】
また、植生ネットの機能を保つために、縦糸若しくは横糸の強度は一定以上必要である。
【０００７】
しかし、先駆樹種などの成長の早い樹木を斜面に導入しようとした場合には、この植生ネットの糸により、幹が締め付けられ、例えば強風などによって倒れるおそれが増大する。当然に、この植生ネットにより締め付けられた樹木の成長は自然状態ではなく、場合によっては成長が阻害される。
【０００８】
そこで本発明は、上述の事柄に留意してなされたもので、ネットの質量を増加させることなく廉価に提供でき、また、ネット強度を低下させることなく、しかも先駆樹種などの成長を上手く促せる植生ネット及びこれを用いた植生マット並びにこの植生ネットまたは植生マットを用いた緑化工法を提供することを目的としている。
【課題を解決するための手段】
【０００９】
上記目的を達成するため、第１発明では、請求項１に記載のように、二重ネットを構成するフロントネットとバックネットの何れか一方または両方のネットに目合いの粗密を設け、フロントネットとバックネットとで目合いを交互にずらして構成したものである。
【００１０】
上記の構成の植生ネットにおいて、例えば、フロントネットの目合いの粗の部位にバックネットの目合いの密な部分を重ね合わせることで、先ず、第一に被地面積を、従来の二重編み植生ネットと同等に保てる。また、例えば、フロントネットの目合いの粗の部位にバックネットの目合いの粗の部分を重ね合わせることで、二重ネット全体としては、目合いに粗密が形成され、特にこの粗の部位に木本類を植え付けることで、その成長を良好に促す。また、ネット質量の軽減化が図れる。したがってまた、縦糸若しくは横糸の質量の軽減化で、糸の強度の調整も可能になり、フロントネットの目合いの粗の部位にバックネットの目合いの密な部分を重ね合わせたとしても、木本類の成長を良好に促す。つまり、例えば樹木を傾斜地に導入する場合、従来の二重ネットのように、ネットを構成する糸がフロントネット、バックネット共々に樹木の幹を締め付ける構造と違って、縦糸若しくは横糸の質量を、例えば半減できて、その糸の強度を調整でき、樹木の幹の成長に伴うネットからの締め付けを受けることなく生長を促すことができる。
【発明の効果】
【００１１】
以上、本第１発明は、ネット質量の軽減化を図りながらも裸地面の被覆面積は従来の二重ネットと同等或いはそれ以上に増大でき、表層浸食効果を改善する。しかも高強度の糸を採用すればネット強度を低下させることもなく、また、廉価で提供できる。併せて木本類の生長を阻害するおそれが少なくなる利点がある。
【００１２】
また、本第２発明は、請求項２に記載のように、二重ネットを構成するフロントネットとバックネットとで目合いを交互にすることで、二重に合わせた際は通常目合いになるように構成したものである。
【００１３】
上記の構成の植生ネットにおいて、表裏両ネットの目合いが従来と同じ場合には、得られたネットの目合いは、実質的に従来の半分の大きさの、つまりは細かな目合いとなり、被地面積が格段に増大する。
【００１４】
したがって、この第２発明では、ネット質量の軽減化を図れると共に裸地面の被覆面積は従来の二重ネットと同等或いはそれ以上に増大でき、表層浸食効果を改善する。しかもネット強度を低下させることもなく、また、廉価で提供できる。併せて木本類の生長を阻害するおそれも格段に少なくなる利点がある。
【００１５】
更に本第３発明は、請求項３に記載のように、二重ネットを構成するフロントネットとバックネットの縦糸若しくは横糸のどちらか、または縦横両方の糸を、フロントネットとバックネットとで交互にずらし、裸地面の被覆面積を従来の二重編み植生ネットと同等に保ちながら、ネット質量の軽減化を図ったものである。
【００１６】
上記の構成の植生ネットにおいて、例えば、フロントネットとバックネットの目合いを従来の少なくとも倍にしても、裸地面の被覆面積を従来の二重編み植生ネットと同等に保つことができる。その結果、フロントネット或いはバックネットの何れか一方、若しくは両方のネットの質量の軽減化が図れる。したがってまた、縦糸若しくは横糸の質量の軽減化で、糸の強度の調整も可能になる。
【００１７】
したがって、この第３発明では、ネットの質量の軽減化を図りながらも裸地面の被覆面積は従来の二重ネットと同等にでき、表層浸食効果を改善する。しかもネット強度を低下させることもなく、また、廉価で提供できる。併せて木本類の生長を阻害するおそれも格段に少なくなる利点がある。
【００１８】
また、以上の本第１発明〜第３発明において、請求項４に記載のように、縦糸に高強度の糸を一本置き若しくは数本置きに配置するのが望ましい。
糸の強度を調整することで、樹木の幹の成長に伴うネットからの締め付けを受けることなく、生長を促すことができながらも、ネットの縦方向の強度が上手く保たれ、所期の裸地被覆作用が上手く達成できるからである。
【００１９】
また、本第４発明に係る植生マットは、請求項５に記載のように、請求項１〜４に記載の植生ネットにシート状体、種子、肥料または肥料袋のうち、少なくとも一つを付着させたものである。
【００２０】
この第４発明に係る植生マットは、請求項１〜４に記載の植生ネットにシート状体、種子、肥料または肥料袋のうち、少なくとも一つを付着させものであるから、請求項１〜４に記載の発明による効果を奏することに加えて、裸地の植生を上手く促し、所期の環境緑化に寄与できる。
【００２１】
更に、本第５発明に係る緑化工法は、請求項６に記載のように、請求項１〜４のいずれかに記載の植生ネットを法面に張設した後に植生基材を吹き付けるものである。
【００２２】
この本第５発明に係る緑化工法は、請求項１〜４に記載の発明による効果を奏することに加えて、ネットの位置ずれ防止機能や法面表土ならびに植生基材の保持機能を有せしめ得る植生基体を、植生材料収容袋を確実に保持できるものにして、安価に提供することができる。
【００２３】
そして、本第６発明に係る緑化工法は、請求項５に記載の植生マットを法面に張設するものである。
【００２４】
この本第６発明に係る緑化工法にあっては、請求項５に記載の植生マットを法面に張設して、植物種子を含む植生基材を吹き付けることで、法面の緑化が好適に行われるのであって、上記した植生ネットを用いることから、請求項１〜５に記載の発明による効果を奏することに加えて、袋収納部に植生材料収容袋を確実に保持させる作業が容易であって、植生基体そのものの取扱いも簡単であり、更に、法面に対する植生ネットの強固な設置や、植生ネットに吹き付ける植生基材や法面表土の流失防止が可能であって、法面の緑化をコスト的に安価に達成することができる。
【発明を実施するための最良の形態】
【００２５】
（実施例１）
以下、本発明の実施例を図１，２に基づいて説明する。
【００２６】
この植生ネット１は、二重ネット構造で、上側のフロントネット２と下側のバックネット３とからなる。両ネット２、３の目合い４，５は何れも縦横が２インチ程度のもので、例えば従来の一般的なネットの目合いに比べてほぼ倍の大きさの目合いになるように形成されている。一例として、図１に示される構造では、縦糸方向３０ｍｍ、横糸方向１５ｍｍである。この数値はあくまでも一例で、例えば、横糸方向にも倍の寸法、つまり３０ｍｍにしてみたり、逆に縦糸方向１５ｍｍ、横糸方向３０ｍｍにするなど、必要に応じて種々の形態を採用できる。また、寸法もここに例示したものに限定されることなく、必要に応じて種々選択できることは言うまでもない。
【００２７】
両ネット２、３は、図１に示すように、フロントネット２をバックネット３に対して、その目合いの縦寸法の半分の長さ寸法で、つまり一つの目合いを一ピッチとすると、半ピッチ分縦方向にずらせ、このフロントネット２の横糸６がバックネット３の目合い５の縦方向寸法の丁度中間位置にくるようにして編み込まれる。
【００２８】
その結果、従来の二重ネットと同じ目合い寸法を得られながら、少なくともフロントネット２の横糸６とバックネット３の横糸７は従来の半分で済むことになって、ネットの質量の格段の軽量化が達成され、大変廉価に提供できる。併せて裸地面の被覆面積は従来の二重ネットと同等にでき、表層浸食効果も同等のものを期待できる。しかも高強度の糸を採用すればネット強度を低下させることもない。また、少なくともフロントネット２の横糸６とバックネット３の横糸７は半ピッチずれて存在しているから、決して重合することがない。その結果、従来の二重ネットのように上下の横糸が二重に重なって剛の構造であるのに比べて、幹が締め付けられるおそれが少なく、例えば強風などによって倒れるおそれがなく、木本類の生長を阻害するおそれも格段に少なくなる利点がある。
【００２９】
上記の両ネット２，３の具体的な編織は、以下のようにして行われる。
即ち、目合いの大きさが縦糸方向３０ｍｍ、横糸方向１５ｍｍで、横糸方向の幅が約１００ｃｍの植生ネット１を編織するものとして、フロントネット２の縦糸８とバックネット３の縦糸９を構成するモノフィラメント糸夫々６５本を１５ｍｍ間隔にして鎖編みしていくと共に、これらにフラットヤーンから成るネット編織用の横糸６，７を夫々に順次絡ませて、植生ネット１を編織するのである。
【００３０】
更に具体的に説明するため、図２に示すように、ここではこの植生ネット１をフロントネット２とバックネット３に分離して表現する。両ネット２，３は、例えばポリエチレンを素材にして編織されている。このうちのフロントネット２は、例えば３８０デニールのポリエチレン製のモノフィラメントを鎖編みした縦糸８の隣り合う二本に渡って、例えば１０００デニールのポリエチレン製のフラットヤーン（例えば幅が２．５ｍｍで厚みが４９μｍ）からなる横糸６をジグザク状に編み込んでなる。
【００３１】
一方、バックネット３の縦糸９は、例えば３８０デニールのポリエチレン製のモノフィラメントを鎖編みしてなり、この縦糸９に直交する横糸７は、ポリエチレン製である、例えば１０００デニールのフラットヤーン（例えば幅が２．５ｍｍで厚みが４９μｍ）からなる横糸７をジグザク状に編み込んでなる。
【００３２】
そして、図１，２に示すように、上記の両ネット２，３を、その互いの目合い４，５を半ピッチずらせて、重ね合わせた構成となるように、ダブルラッセル編機によって二重ネットを編織し、もって植生ネット１を得るものである。
【００３３】
（実施例２）
次に実施例２に示す植生ネットは、図３に示すように、フロントネット２もバックネット３も共々に、縦方向に目合いが粗である部分４Ａ、５Ａと密である部分４Ｂ、５Ｂを交互に形成し、両ネットを編織する段階で、フロントネット２の粗の目合い４Ａがバックネット３の密な目合い５Ａに重なり合うようにしたものである。粗である部分は４Ａ、５Ａの具体構成は、図示するように、両ネット２，３ともに所定間隔で横糸４，５を織り込まない部分を設けて形成される。図例では横糸３本置きに、３本の横糸を織り込まない部分を設けて形成している。なお、これはあくまでも、模式的に示された図面上のことで、実際とは整合しないことはいうまでもない。
【００３４】
得られた二重ネット１は、結果として図１、図２に示す構造と同じく、縦・横に目合いが整然と整った形のネットとなる。また、奏し得られる作用効果も、実施例１と同様である。
【００３５】
（実施例３）
次に、実施例３に示す植生ネットは、図４に示すように、縦糸方向に所定間隔置きで袋収納部１１を備え、この袋収納部１１に、図７に示すように、例えば肥料基材入り袋１２などを収納する。この肥料基材入り袋１２は、降雨などにより肥料養分が徐々に滲み出すような厚みと通気性を有する腐食性の素材で構成された袋体に、肥料や土壌改良剤、保水剤などの植物の生育に直接的または間接的に必要な肥料材料を収納してなる。
【００３６】
また、この実施例３の二重ネット１は、基本的には実施例１と同様に、縦・横に整然とした目合い４，５が形成されている。しかし、袋収納部１１の上端と下端とは、強度を持たせる意味からも、次のように構成される。先ず、袋収納部１１の上端に対応するバックネット３の相隣り合う一対の横糸７の中間部に一本の横糸７Ａを編織し、フロントネット２の横糸６と重合させるようにする。他方、袋収納部１１の下端に対応するフロントネット２の相隣り合う一対の横糸６の中間部に一本の横糸６Ａを編織し、バックネット３の横糸７と重合させるようにする。このように、袋収納部１１の上下両端では横糸が二重に重なり合うので、その強度が高まる。
【００３７】
前記袋収納部１１は、上記二重ネット１を重ね合わせると共に、ポリエチレン製の例えば３８０デニールのモノフィラメントの綴じ糸１０によって、両ネット２，３の互い対向する縦糸８，９を縦糸方向並びに横糸方向で所定間隔置に綴じ合わせて、横糸方向で縦糸８，９が全く綴じ合わさない部分を形成し、この縦糸８，９が全く綴じ合わさない部分の両ネット間を袋収納部１１としてある。更に具体的には、横糸方向の各縦糸を、縦糸方向で２目合い半分を残して６目合い分ずつ綴じ糸１０で綴じ、袋収納部１１では綴じ糸１０を例えばフロントネット２側或いはバックネット３側の何れか一方の縦糸８，９（又は横糸６，７）に撚り合わせている。
【００３８】
得られた二重ネット１は、袋収納部１１を備えた以外には、基本的には結果として図１、図２、更には図３に示す構造と同じく、縦・横に目合いが整然と整った形のネットとなる。また、奏し得られる作用効果も、実施例１や実施例２と同様である。加えて、この実施例３は袋収納部１１に、図７に示すように、例えば肥料基材入り袋１２（後述）などを収納できるので、肥料基材入り袋１２から適宜肥料が供給され、植生基材に含まれる植物が成育し且つ繁茂することによって、法面の緑化保護が達成される。
【００３９】
なお、前記肥料基材入り袋１２は、肥料、土壌改良剤、保水剤など植物の生育に直接的または間接的に必要な植生材料を、降雨などにより肥料養分が徐々に滲み出すような厚みと通気性とを有するように、ポリビニールアルコールなどのビニロン系やポリエステルなどのポリエステル系、ナイロンなどのポリアミド系、アクリルなどのポリアクリルニトリル系などの不織布、その他、スフ系不織布、パルプ系不織布、可溶性紙、生分解性プラスチックフィルムなどの腐食性素材から成る袋に収納して成るもので、植生材料には、必要に応じて植物種子が混入される。
【００４０】
（実施例４）
実施例４は、先の実施例３の形態を変形したもので、図５に示すように、各横糸６，７を、縦糸方向で２目合い半分を残して１目合い分ずつ綴じ糸１０で綴じ、袋収納部１１では綴じ糸１０を例えばフロントネット２側或いはバックネット３側の何れか一方の縦糸８，９（又は横糸６，７）に撚り合わせている。つまり、袋収納部１１の間には１目合い分の目合いを残すのみで、他は全て袋収納部１１にして、この袋収納部１１を多くし、肥料基材入り袋１２を多数保持できるようにしてある。
【００４１】
このような実施例４の構成では、実施例１〜３の記載された発明によるのと同等の作用効果を奏する。しかも、多くの袋収納部１１の存在により、ここに収納される例えば肥料基材入り袋１２などがストッパーとしての役割を果たすと共に、例えば図８に示すように、植生基材Ｇ（後述）を上手く保持する効果があり、併せて表層浸食効果も格段に増強される。
【００４２】
（実施例５）
次に、実施例５に示す植生ネット１は、基本的な構造は図４に示したものと同様であるが、袋収納部１１の強度をより強くするための工夫が施されている。
すなわち、図６に示すように、袋収納部１１は、二目合い半とし、この二目合い半の内の二目合いに更に半目合い分の間隔をおいて横糸６Ａ，７Ａが編織される。したがって、この袋収納部１１では上下のネット２，３は共に、他の部位の目合い４，５の半分の寸法になる。袋収納部１１の目合いが幅狭となり、その分、強度的に他の部位より、一層強くなり、肥料基材入り袋１２のより的確な保持が可能になる。
【００４３】
具体的には、上記フロントネット２とバックネット３を重ね合わせると共に、ポリエチレン製の例えば３８０デニールのモノフィラメントの綴じ糸１０によって、両ネット２，３の互い対向する縦糸８，９を縦糸方向並びに横糸方向で所定間隔置に綴じ合わせて、横糸方向で縦糸８，９が全く綴じ合わさない部分を形成し、この縦糸８，９が全く綴じ合わさない部分の両ネット間を袋収納部１１としてある。更に具他的には、横糸方向の各縦糸を、縦糸方向で２目合い半分を残して６目合い分ずつ綴じ糸１０で綴じ、袋収納部１１では綴じ糸１０を例えばフロントネット２側或いはバックネット３側の何れか一方の縦糸８，９（又は横糸６，７）に撚り合わせている。
【００４４】
得られた植生ネット１は、袋収納部１１では、目合いが他の部位に比べて半分になること以外には、基本的には結果として図１、図２、更には図３、図４に示す構造と同じく、縦・横に目合いが整然と整った形のネットとなる。また、奏し得られる作用効果も、実施例１や実施例２と同様であるが、併せて、この実施例５は、袋収納部１１に例えば肥料基材入り袋１２などをしっかりと収納できるので、表層浸食効果も増強される。
【００４５】
以上各実施例の構造において、本発明の植生ネット１に用いられる横糸７と縦糸８の素材としては、ポリエチレンやポリプロピレンなどのように耐腐食性に優れたものや、麻やジュートなどの植物性繊維あるいはビスコースレーヨンなどのように比較的短期間で腐食されるようなものなど、従来からの素材のほかに、次のような素材を好適に用いることができる。
【００４６】
すなわち、強力レーヨンや、防腐処理を施した種々の腐食性素材（これらの素材およびこれを用いた植生ネットとしては、特公平６−９９９１８号公報に示されるものがある）や、腐食性繊維と合成繊維とから成る混紡繊維や、高分子エマルジョンまたは水溶性ポリマーのうち少なくとも一方をビスコース溶液に内添した混繊レーヨン（これらの素材を用いた植生ネットおよびこれを用いた植生ネットとしては、特公平７−５３９９４号公報に示されるものがある）、その他、化学合成系や天然物系などの生分解性プラスチックによる繊維などのように、腐食時期を調整できるようにした素材を好適に用いることができる。
【００４７】
以上の各実施例で得られた植生ネット１は、袋収納部１１を備えたものには、この袋収納部１１内に肥料基材入り袋１２などを挿入して、例えば図８に示すように、法面Ｎ上に、例えばアンカーや止め釘Ａなどを用いて、バックネット３側が法面Ｎ側になるようにして張設して用いられる。
【００４８】
（実施例６）
次に、本発明に係る植生ネット１を用いた植生マットについて以下に説明する。
この植生マット１Ａは、公知の技術が採用されるものであるが、本発明の植生ネット１に適用することによって、その作用が一層効果的に発揮される。
【００４９】
上記した実施例１〜４に示した植生ネット１に対して、図７に示すように、それの表面側若しくは裏面側、或いは両面（図例は表面側）に植生種子を担持させたシート状体Ｓを設けて、これを植生基体と成し、この植生基体を、シート状体Ｓを法面側に向けてアンカーや止め釘により法面に張設する。
なお、この植生基体に、例えばゲル状にした植生基材Ｇ（後述）を吹き付けることによっても、法面Ｎの緑化を効果的に達成することができる。
【００５０】
上記の植生ネット１に設けられるシート状体Ｓとしては、植物種子の発芽生育の妨げにならず、しかも、水分により溶解するクレープ紙、高分子系フィルムあるいは澱粉系フィルム、寒冷紗付き水溶性紙、スフ綿、スフ系不織布、パルプ系不織布など各種の水溶性素材あるいは水解性素材などを選択でき、好適には、スフによる薄綿ラップをシート状にし、得られたシート状体Ｓに、植物種子、肥料、土壌改良剤などよりなる植生基材を、例えばポリビニルアルコール（ＰＶＡ）のような水溶性糊剤によって付着保持させ、かつ、このシート状体Ｓを、上記の水溶性糊剤と同様の水溶性糊剤を用いて、植生ネット１の裏面側に係着させることである。
【００５１】
（実施例７）
次に、本発明に係る植生ネット１或いは植生マット１Ａを法面緑化工法に適用する場合について説明する。
前記の通り、実施例１〜５に記した植生ネット１或いは植生マット１Ａ（図例は植生ネット１）を、図８に示すように、アンカーや止め釘Ａなどを用いて、バックネット３側が法面Ｎ側になるようにして張設する。
その後、有機質材料や化学肥料、土壌改良剤、保水剤など植物の生育に直接的または間接的に必要な植生材料に植生種子を加えて十分に混合した乾式の植生基材Ｇを、前記植生ネット１或いは植生マット１Ａの上からこれを覆うようにして、適宜に吹き付け機によって適当な厚さ（例えば２〜５ｃｍほど）になるように吹き付ける。
【００５２】
このとき用いる種子としては、牧草種子や花の種子、その他よもぎ、ススキ、めどはぎなどの野草の種子、あかまつ、やしゃぶし、いたちはぎなどの樹木の種子が任意に選択される。
【００５３】
このようにすることによって、法面Ｎに対する植生ネット１或いは植生マット１Ａの強固な滑り防止と、法面表土ならびに吹き付け植生基材Ｇの流失防止が効果的に達成されることは言うまでもない。
【００５４】
図示はしないが、上記植生基材２の吹き付けによる法面Ｎの緑化に際して、上記の植生材料を収容した肥料基材入り袋１２と、この肥料基材入り袋１２とは別の構成の植生材料収容袋、即ち、植生の発芽・成育の妨げにならず、しかも、水分により溶解する高分子系フィルムあるいは澱粉系フィルムまたは寒冷紗付き水溶性紙による袋内に例えば牧草種子を収納した植生材料収容袋とを、植生ネット１の袋収納部１１に例えば交互に収納させて、これを緑化用の植生基体とし、この植生基体を法面Ｎに張設して、これに植生基材Ｇを吹き付けるようにしてもよいのである。
【００５５】
なお、本発明では、以上の各実施例に示された植生ネット１の構成において、特にフロントネット２とバックネット３との目合い４，５のずらせ方としては各種の対応が考えられる。
例えば、図６に示す実施例５の、袋収納部１１の強度アップのために、フロントネット２とバックネット３との袋収納部１１に対応する部位の目合い４，５を他の部位よりも細かくして上下の横糸６，７が互いに重合するようにした構成は、図４に示した実施例３や図５に示した実施例４に適用できることはいうまでもない。
また、図９や図１０に示すように、上記と同じように、袋収納部１１に対応する部位以外の部位１３においては、一つの目合いの半ピッチ以下ずらせた寸法にしたりすることもできる。そしてこの形態は、図示するように、前記図４〜５の構成にも転用できることは言うまでもない。
【００５６】
また、各実施例に示された植生ネット１は、必要に応じて縦糸８，９が補強されるのが望ましい。
具体的には、例えば２００〜２０００デニールの合成樹脂製素材のモノフィラメントまたはフラットヤーンを鎖編みして得たものを縦糸８，９の交互若しくは数本おきに編織する。
【００５７】
更に、上記それぞれの実施の形態では、植生ネット１を構成する縦糸８としてモノフィラメントを、また、横糸７としてフラットヤーンを用いているが、このような種類に限られるものではなく、上記とは逆の組み合わせであってもよく、縦糸８および横糸７の全てを、モノフィラメントまたはフラットヤーンにしてもよい。また、求めるネット強度により、使用する糸の太さも１００〜３０００デニールまで適宜選択可能である。
【００５８】
また、実施例３〜５では、植生ネット１を構成するに当たって綴じ糸１０を用いた構造を示したが、この構造に限定されることなく、例えば実施例１，２と同様にダブルラッセル編みでこの植生ネット１を編織できることはいうまでもない。綴じ糸１０を用いない分、一層のネット質量の軽量化とコストダウンを図れる。
【図面の簡単な説明】
【００５９】
【図１】第１の実施例の植生ネットを、その編織過程も合わせて示し、表面側から見た斜視図である。
【図２】図１に示す植生ネットの要部の拡大斜視図である。
【図３】第２の実施例の植生ネットを、その編織過程も合わせて示し、表面側から見た斜視図である。
【図４】第３の実施例の植生ネットを、その編織過程も合わせて示し、表面側から見た斜視図である。
【図５】第４の実施例の植生ネットを、その編織過程も合わせて示し、表面側から見た斜視図である。
【図６】第５の実施例の植生ネットを、その編織過程も合わせて示し、表面側から見た斜視図である。
【図７】この発明の植生ネットを用いた植生マットの斜視図である。
【図８】この発明の植生ネット又は植生マットを用いた法面の法面緑化工法の説明図である。
【図９】異なる目合いのずれを断続する袋収納部を備えた植生ネットに適用した事例を示した説明図である。
【図１０】異なる目合いのずれを連続する袋収納部を備えた植生ネットに適用した事例を示した説明図である。
【符号の説明】
【００６０】
１…植生ネット
１Ａ…植生マット
２…フロントネット
３…バックネット
４…フロントネットの目合い
４Ａ…目合いが粗である部分
４Ｂ…目合いが密である部分
５…バックネットの目合い
５Ａ…目合いが粗である部分
５Ｂ…目合いが密である部分
６…フロントネットの横糸
７…バックネットの横糸  
８…フロントネットの縦糸
９…バックネットの縦糸  
１１…袋収納部
１２…肥料基材入り袋
１３…袋収納部に対応する以外の部位
【図１】
2007303120.tif 000003
【図２】
2007303120.tif 000004
【図３】
2007303120.tif 000005
【図４】
2007303120.tif 000006
【図５】
2007303120.tif 000007
【図６】
2007303120.tif 000008
【図７】
2007303120.tif 000009
【図８】
2007303120.tif 000010
【図９】
2007303120.tif 000011
【図１０】
2007303120.tif 000012